【手続補正書】
【提出日】平成17年5月19日(2005.5.19)
【手続補正１】
【補正対象書類名】明細書
【補正対象項目名】特許請求の範囲
【補正方法】変更
【補正の内容】
【特許請求の範囲】
【請求項１】
次の構成要件（Ａ01）〜（Ａ04）を備えた画像形成装置、
（Ａ01）複数の感光体支持軸回りに回転移動する感光体表面が帯電器により帯電され、潜像形成装置により前記帯電された表面に静電潜像が形成され、現像器により前記静電潜像がトナー像に現像される感光体を有する複数のトナー像形成装置、
（Ａ02）前記トナー像形成装置の各感光体表面と順次接触して前記各感光体表面のトナー像が順次重ねて転写される各転写領域を順次通過するベルトと、前記ベルトを支持するベルト駆動ロールおよび複数の従動ロールを含む複数のベルト支持ロールと、前記各転写領域において前記各感光体表面のトナー像をそれぞれベルト表面側に転写する転写ロールと、前記ベルト支持ロール、および転写ロールを回転可能に支持するベルトフレームと、前記転写ロールの軸を所定の移動範囲で移動可能に支持し且つ常時所定の位置決めされる位置の方向に付勢する弾性部材とを有し、画像形成動作が行われる動作位置とメンテナンスが行われるメンテナンス位置との間で移動可能に支持されたベルトモジュール、
（Ａ03）前記複数のトナー像形成装置を収容するトナー像形成装置収容空間と前記ベルトモジュールを収容するベルトモジュール収容空間とを有し、前記トナー像形成装置収容空間には前記複数のトナー像形成装置が着脱可能に収容され、前記ベルトモジュール収容空間には前記ベルトモジュールが着脱可能に収容された画像形成装置本体、
（Ａ04）前記感光体支持軸の前端部を位置決めし且つ回転可能に支持する前側感光体軸位置決め孔と、前記ベルトモジュールが前記動作位置に移動した時に前記転写ロール軸を前記所定の位置決めされる位置にガイドする前側軸ガイド溝とを有する前側位置決めプレート。
【請求項２】
次の構成要件（Ａ01）〜（Ａ03），（Ａ05）を備えた画像形成装置、
（Ａ01）複数の感光体支持軸回りに回転移動する感光体表面が帯電器により帯電され、潜像形成装置により前記帯電された表面に静電潜像が形成され、現像器により前記静電潜像がトナー像に現像される感光体を有する複数のトナー像形成装置、
（Ａ02）前記複数のトナー像形成装置の各感光体表面と順次接触して前記各感光体表面のトナー像が順次重ねて転写される各転写領域を順次通過するベルトと、前記ベルトを支持するベルト駆動ロールおよび複数の従動ロールを含む複数のベルト支持ロールと、前記各転写領域において前記各感光体表面のトナー像をそれぞれベルト表面側に転写する転写ロールと、前記ベルト支持ロール、および転写ロールを回転可能に支持するベルトフレームと、前記転写ロールの軸を所定の移動範囲で移動可能に支持し且つ常時所定の位置決めされる位置の方向に付勢する弾性部材とを有し、画像形成動作が行われる動作位置とメンテナンスが行われるメンテナンス位置との間で移動可能に支持されたベルトモジュール、
（Ａ03）前記複数のトナー像形成装置を収容するトナー像形成装置収容空間と前記ベルトモジュールを収容するベルトモジュール収容空間とを有し、前記トナー像形成装置収容空間には前記複数のトナー像形成装置が着脱可能に収容され、前記ベルトモジュール収容空間には前記ベルトモジュールが着脱可能に収容された画像形成装置本体、
（Ａ05）前記感光体支持軸の後端部を位置決めし且つ回転可能に支持する後側感光体軸位置決め孔と、前記ベルトモジュールが前記動作位置に移動した時に前記転写ロール軸を前記所定の位置決めされる位置にガイドする後側軸ガイド溝とを有する後側位置決めプレート。
【請求項３】
次の構成要件（Ｂ01）〜（Ｂ04）を備えた画像形成装置、
（Ｂ01）感光体支持軸回りに回転移動する感光体表面が帯電器により帯電され、潜像形成装置により前記帯電された表面に静電潜像が形成され、現像器により前記静電潜像がトナー像に現像される感光体を有するトナー像形成装置、
（Ｂ02）前記トナー像形成装置の感光体表面のトナー像を、前記転写領域において転写材に転写する転写ロールであって、転写ロールの軸が弾性部材により常時所定の位置決めされる位置の方向に付勢され且つに所定の移動範囲で移動可能に支持されるとともに、画像形成動作が行われる動作位置とメンテナンスが行われるメンテナンス位置との間で移動可能に支持された前記転写ロール、
（Ｂ03）前記トナー像形成装置を収容するトナー像形成装置収容空間と前記転写ロールを収容する転写ロール収容空間とを有し、前記トナー像形成装置収容空間には前記トナー像形成装置が着脱可能に収容され、前記転写ロール収容空間には前記転写ロールが着脱可能に収容された画像形成装置本体、
（Ｂ04）前記感光体支持軸の前端部を位置決めし且つ回転可能に支持する前側感光体軸位置決め孔と、前記転写ロールが前記動作位置に移動した時に前記転写ロール軸を前記所定の位置決めされる位置にガイドする前側軸ガイド溝とを有する前側位置決めプレート。
【請求項４】
次の構成要件（Ｂ01）〜（Ｂ03），（Ｂ05）を備えた画像形成装置、
（Ｂ01）感光体支持軸回りに回転移動する感光体表面が帯電器により帯電され、潜像形成装置により前記帯電された表面に静電潜像が形成され、現像器により前記静電潜像がトナー像に現像される感光体を有するトナー像形成装置、
（Ｂ02）前記トナー像形成装置の感光体表面のトナー像を、前記転写領域において転写材に転写する転写ロールであって、転写ロールの軸が弾性部材により常時所定の位置決めされる位置の方向に付勢され且つ所定の移動範囲で移動可能に支持されるとともに、画像形成動作が行われる動作位置とメンテナンスが行われるメンテナンス位置との間で移動可能に支持された前記転写ロール、
（Ｂ03）前記トナー像形成装置を収容するトナー像形成装置収容空間と前記転写ロールを収容する転写ロール収容空間とを有し、前記トナー像形成装置収容空間には前記トナー像形成装置が着脱可能に収容され、前記転写ロール収容空間には前記転写ロールが着脱可能に収容された画像形成装置本体、
（Ｂ05）前記感光体支持軸の後端部を位置決めし且つ回転可能に支持する後側感光体軸位置決め孔と、前記転写ロールが前記動作位置に移動した時に前記転写ロール軸を前記所定の位置決めされる位置にガイドする後側軸ガイド溝とを有する後側位置決めプレート。
【手続補正２】
【補正対象書類名】明細書
【補正対象項目名】０００５
【補正方法】変更
【補正の内容】
【０００５】
（第１発明）
前記課題を解決するために、第１発明の画像形成装置は、次の構成要件（Ａ01）〜（Ａ04）を備えている。
（Ａ01）複数の感光体支持軸（１４）回りに回転移動する感光体表面が帯電器（ＣＣｋ，ＣＣｙ，ＣＣｍ，ＣＣｃ）により帯電され、潜像形成装置（ＲＯＳｋ，ＲＯＳｙ，ＲＯＳｍ，ＲＯＳｃ）により前記帯電された表面に静電潜像が形成され、現像器（Ｇｋ，Ｇｙ，Ｇｍ，Ｇｃ）により前記静電潜像がトナー像に現像される感光体（Ｐｋ，Ｐｙ，Ｐｍ，Ｐｃ）を有する複数のトナー像形成装置（Ｕｋ，Ｕｙ，Ｕｍ，Ｕｃ）、
（Ａ02）前記複数のトナー像形成装置（Ｕｋ，Ｕｙ，Ｕｍ，Ｕｃ）の各感光体表面と順次接触して前記各感光体表面のトナー像が順次重ねて転写される各転写領域を順次通過するベルト（Ｂ）と、前記ベルト（Ｂ）を支持するベルト駆動ロール（Ｒｄ）および複数の従動ロール（Ｒt，Ｒｗ，Ｒｆ，Ｔ２ａ）を含む複数のベルト支持ロール（Ｒｄ，Ｒt，Ｒｗ，Ｒｆ，Ｔ２ａ）と、前記各転写領域において前記各感光体表面のトナー像をそれぞれベルト表面側に転写する転写ロール（Ｔ１ｋ，Ｔ１ｙ，Ｔ１ｍ，Ｔ１ｃ）と、前記ベルト支持ロール（Ｒｄ，Ｒt，Ｒｗ，Ｒｆ，Ｔ２ａ）、および転写ロール（Ｔ１ｋ，Ｔ１ｙ，Ｔ１ｍ，Ｔ１ｃ）を回転可能に支持するベルトフレーム（Ｆ２）と、前記転写ロール（Ｔ１ｋ，Ｔ１ｙ，Ｔ１ｍ，Ｔ１ｃ）の軸を所定の移動範囲で移動可能に支持し且つ常時所定の位置決めされる位置の方向に付勢する弾性部材（８８）とを有し、画像形成動作が行われる動作位置とメンテナンスが行われるメンテナンス位置との間で移動可能に支持されたベルトモジュール（ＢＭ）、
（Ａ03）前記複数のトナー像形成装置（Ｕｋ，Ｕｙ，Ｕｍ，Ｕｃ）を収容するトナー像形成装置収容空間と前記ベルトモジュール（ＢＭ）を収容するベルトモジュール収容空間とを有し、前記トナー像形成装置収容空間には前記複数のトナー像形成装置（Ｕｋ，Ｕｙ，Ｕｍ，Ｕｃ）が着脱可能に収容され、前記ベルトモジュール収容空間には前記ベルトモジュール（ＢＭ）が着脱可能に収容された画像形成装置本体（Ｕ２）、
（Ａ04）前記感光体支持軸（１４）の前端部を位置決めし且つ回転可能に支持する前側感光体軸位置決め孔（６３ａ，１１ａ）と、前記ベルトモジュール（ＢＭ）が前記動作位置に移動した時に前記転写ロール軸（Ｔ１ａ）を前記所定の位置決めされる位置にガイドする前側軸ガイド溝（６３ｂ，１１ｂ）とを有する前側位置決めプレート（６３，１１）。
【手続補正３】
【補正対象書類名】明細書
【補正対象項目名】０００６
【補正方法】変更
【補正の内容】
【０００６】
（第１発明の作用）
前記構成を備えた第１発明の画像形成装置では、画像形成装置本体（Ｕ２）は、前記複数のトナー像形成装置（Ｕｋ，Ｕｙ，Ｕｍ，Ｕｃ）を収容するトナー像形成装置収容空間と前記ベルトモジュール（ＢＭ）を収容するベルトモジュール収容空間とを有し、前記トナー像形成装置収容空間には前記複数のトナー像形成装置（Ｕｋ，Ｕｙ，Ｕｍ，Ｕｃ）が着脱可能に収容され、前記ベルトモジュール収容空間には前記ベルトモジュール（ＢＭ）が着脱可能に収容される。
複数のトナー像形成装置（Ｕｋ，Ｕｙ，Ｕｍ，Ｕｃ）の各感光体（Ｐｋ，Ｐｙ，Ｐｍ，Ｐｃ）は感光体支持軸（１４）回りに回転する。帯電器（ＣＣｋ，ＣＣｙ，ＣＣｍ，ＣＣｃ）は、回転移動する感光体表面を帯電させる。潜像形成装置（ＲＯＳｋ，ＲＯＳｙ，ＲＯＳｍ，ＲＯＳｃ）は前記帯電された感光体表面に静電潜像を形成する。現像器（Ｇｋ，Ｇｙ，Ｇｍ，Ｇｃ）は、前記静電潜像をトナー像に現像する。
ベルトモジュール（ＢＭ）は、画像形成動作が行われる動作位置とメンテナンスが行われるメンテナンス位置との間で移動可能に支持されている。ベルトモジュール（ＢＭ）のベルトフレーム（Ｆ２）は、ベルト駆動ロール（Ｒｄ）および複数の従動ロール（Ｒt，Ｒｗ，Ｒｆ，Ｔ２ａ）を含む複数のベルト支持ロール（Ｒｄ，Ｒt，Ｒｗ，Ｒｆ，Ｔ２ａ）および転写ロール（Ｔ１ｋ，Ｔ１ｙ，Ｔ１ｍ，Ｔ１ｃ）を回転可能に支持する。前記ベルト支持ロール（Ｒｄ，Ｒt，Ｒｗ，Ｒｆ，Ｔ２ａ）により支持されたベルト（Ｂ）は、前記複数のトナー像形成装置（Ｕｋ，Ｕｙ，Ｕｍ，Ｕｃ）の各感光体表面と順次接触して前記各感光体表面のトナー像が順次重ねて転写される各転写領域を順次通過する。
前記転写ロール（Ｔ１ｋ，Ｔ１ｙ，Ｔ１ｍ，Ｔ１ｃ）の軸は、所定の移動範囲で移動可能に支持され、且つ弾性部材（８８）により常時所定の位置決めされる位置の方向に付勢される。
前側位置決めプレート（６３，１１）は、前側感光体軸位置決め孔（６３ａ，１１ａ）と、前側軸ガイド溝（６３ｂ，１１ｂ）とを有しており、前側感光体軸位置決め孔（６３ａ，１１ａ）は前記感光体支持軸（１４）の前端部を位置決めし且つ回転可能に支持し、前側軸ガイド溝（６３ｂ，１１ｂ）は、前記ベルトモジュール（ＢＭ）が前記動作位置に移動した時に前記転写ロール軸（Ｔ１ａ）を前記所定の位置決めされる位置にガイドする。したがって、前記ベルトモジュール（ＢＭ）が前記動作位置に移動した時に、転写ロール軸（Ｔ１ａ）の前端部は前記前側軸ガイド溝（６３ｂ，１１ｂ）によりガイドされて、前記感光体支持軸（１４）に対して所定の位置に位置決めされる。位置決めされた前記転写ロール（Ｔ１ｋ，Ｔ１ｙ，Ｔ１ｍ，Ｔ１ｃ）は、前記各転写領域において前記各感光体表面のトナー像をそれぞれベルト表面側に転写する。
したがって、前側位置決めプレート（６３，１１）に形成された前側感光体軸位置決め孔（６３ａ，１１ａ）と前側軸ガイド溝（６３ｂ，１１ｂ）とにより、感光体支持軸（１４）と転写ロール軸（Ｔ１ａ）とが位置決めされるので、それら相互の位置を簡単な構成で正確且つ容易に位置決めすることができる。
【手続補正４】
【補正対象書類名】明細書
【補正対象項目名】０００７
【補正方法】変更
【補正の内容】
【０００７】
（第２発明）
第２発明の画像形成装置は、次の構成要件（Ａ01）〜（Ａ03），（Ａ05）を備えている。
（Ａ01）複数の感光体支持軸（１４）回りに回転移動する感光体表面が帯電器（ＣＣｋ，ＣＣｙ，ＣＣｍ，ＣＣｃ）により帯電され、潜像形成装置（ＲＯＳｋ，ＲＯＳｙ，ＲＯＳｍ，ＲＯＳｃ）により前記帯電された表面に静電潜像が形成され、現像器（Ｇｋ，Ｇｙ，Ｇｍ，Ｇｃ）により前記静電潜像がトナー像に現像される感光体（Ｐｋ，Ｐｙ，Ｐｍ，Ｐｃ）を有する複数のトナー像形成装置（Ｕｋ，Ｕｙ，Ｕｍ，Ｕｃ）、
（Ａ02）前記複数のトナー像形成装置（Ｕｋ，Ｕｙ，Ｕｍ，Ｕｃ）の各感光体表面と順次接触して前記各感光体表面のトナー像が順次重ねて転写される各転写領域を順次通過するベルト（Ｂ）と、前記ベルト（Ｂ）を支持するベルト駆動ロール（Ｒｄ）および複数の従動ロール（Ｒt，Ｒｗ，Ｒｆ，Ｔ２ａ）を含む複数のベルト支持ロール（Ｒｄ，Ｒt，Ｒｗ，Ｒｆ，Ｔ２ａ）と、前記各転写領域において前記各感光体表面のトナー像をそれぞれベルト表面側に転写する転写ロール（Ｔ１ｋ，Ｔ１ｙ，Ｔ１ｍ，Ｔ１ｃ）と、前記ベルト支持ロール（Ｒｄ，Ｒt，Ｒｗ，Ｒｆ，Ｔ２ａ）、および転写ロール（Ｔ１ｋ，Ｔ１ｙ，Ｔ１ｍ，Ｔ１ｃ）を回転可能に支持するベルトフレーム（Ｆ２）と、前記転写ロール（Ｔ１ｋ，Ｔ１ｙ，Ｔ１ｍ，Ｔ１ｃ）の軸を所定の移動範囲で移動可能に支持し且つ常時所定の位置決めされる位置の方向に付勢する弾性部材（８８）とを有し、画像形成動作が行われる動作位置とメンテナンスが行われるメンテナンス位置との間で移動可能に支持されたベルトモジュール（ＢＭ）、
（Ａ03）前記複数のトナー像形成装置（Ｕｋ，Ｕｙ，Ｕｍ，Ｕｃ）を収容するトナー像形成装置収容空間と前記ベルトモジュール（ＢＭ）を収容するベルトモジュール収容空間とを有し、前記トナー像形成装置収容空間には前記複数のトナー像形成装置（Ｕｋ，Ｕｙ，Ｕｍ，Ｕｃ）が着脱可能に収容され、前記ベルトモジュール収容空間には前記ベルトモジュール（ＢＭ）が着脱可能に収容された画像形成装置本体（Ｕ２）、
（Ａ05）前記感光体支持軸（１４）の後端部を位置決めし且つ回転可能に支持する後側感光体軸位置決め孔（８０ａ，１２ａ）と前記ベルトモジュール（ＢＭ）が前記動作位置に移動した時に前記転写ロール軸（Ｔ１ａ）を前記所定の位置決めされる位置にガイドする後側軸ガイド溝（８０ｂ，１２ｂ）とを有する後側位置決めプレート（８０，１２）。
【手続補正５】
【補正対象書類名】明細書
【補正対象項目名】０００８
【補正方法】変更
【補正の内容】
【０００８】
（第２発明の作用）
前記構成を備えた第２発明の画像形成装置の作用の説明において前記第１発明の作用と同一の作用の説明は省略する。
第２発明の画像形成装置の後側位置決めプレート（８０，１２）は、後側感光体軸位置決め孔（８０ａ，１２ａ）と、後側軸ガイド溝（８０ｂ，１２ｂ）とを有しており、後側感光体軸位置決め孔（８０ａ，１２ａ）は前記感光体支持軸（１４）の後端部を位置決めし且つ回転可能に支持し、後側軸ガイド溝（８０ｂ，１２ｂ）は、前記ベルトモジュール（ＢＭ）が動作位置に移動した時に前記転写ロール軸（Ｔ１ａ）の後端部を所定の位置決めされる位置にガイドする。
したがって、後側位置決めプレート（８０，１２）に形成された後側感光体軸位置決め孔（８０ａ，１２ａ）と後側軸ガイド溝（８０ｂ，１２ｂ）とにより、感光体支持軸（１４）と転写ロール軸（Ｔ１ａ）の後端部が位置決めされるので、それら相互の位置を簡単な構成で正確且つ容易に位置決めすることができる。
【手続補正６】
【補正対象書類名】明細書
【補正対象項目名】０００９
【補正方法】変更
【補正の内容】
【０００９】
（第３発明）
第３発明の画像形成装置は、次の構成要件（Ｂ01）〜（Ｂ04）を備えている。
（Ｂ01）感光体支持軸（１４）回りに回転移動する感光体表面が帯電器（ＣＣｋ，ＣＣｙ，ＣＣｍ，ＣＣｃ）により帯電され、潜像形成装置（ＲＯＳｋ，ＲＯＳｙ，ＲＯＳｍ，ＲＯＳｃ）により前記帯電された表面に静電潜像が形成され、現像器（Ｇｋ，Ｇｙ，Ｇｍ，Ｇｃ）により前記静電潜像がトナー像に現像される感光体（Ｐｋ，Ｐｙ，Ｐｍ，Ｐｃ）を有するトナー像形成装置（Ｕｋ，Ｕｙ，Ｕｍ，Ｕｃ）、
（Ｂ02）前記トナー像形成装置（Ｕｋ，Ｕｙ，Ｕｍ，Ｕｃ）の感光体表面のトナー像を、前記転写領域において転写材に転写する転写ロール（Ｔ１ｋ，Ｔ１ｙ，Ｔ１ｍ，Ｔ１ｃ）であって、転写ロール（Ｔ１ｋ，Ｔ１ｙ，Ｔ１ｍ，Ｔ１ｃ）の軸が弾性部材（８８）により常時所定の位置決めされる位置の方向に付勢され且つ所定の移動範囲で移動可能に支持されるとともに、画像形成動作が行われる動作位置とメンテナンスが行われるメンテナンス位置との間で移動可能に支持された前記転写ロール（Ｔ１ｋ，Ｔ１ｙ，Ｔ１ｍ，Ｔ１ｃ）、
（Ｂ03）前記トナー像形成装置（Ｕｋ，Ｕｙ，Ｕｍ，Ｕｃ）を収容するトナー像形成装置収容空間と前記転写ロール（Ｔ１ｋ，Ｔ１ｙ，Ｔ１ｍ，Ｔ１ｃ）を収容する転写ロール収容空間とを有し、前記トナー像形成装置収容空間には前記トナー像形成装置（Ｕｋ，Ｕｙ，Ｕｍ，Ｕｃ）が着脱可能に収容され、前記転写ロール収容空間には前記転写ロール（Ｔ１ｋ，Ｔ１ｙ，Ｔ１ｍ，Ｔ１ｃ）が着脱可能に収容された画像形成装置本体（Ｕ２）、
（Ｂ04）前記感光体支持軸（１４）の前端部を位置決めし且つ回転可能に支持する前側感光体軸位置決め孔（６３ａ，１１ａ）とその下方に形成され且つ前記転写ロール（Ｔ１ｋ，Ｔ１ｙ，Ｔ１ｍ，Ｔ１ｃ）が前記動作位置に移動した時に前記転写ロール軸（Ｔ１ａ）を前記所定の位置決めされる位置にガイドする前側軸ガイド溝（６３ｂ，１１ｂ）とを有する前側位置決めプレート（６３，１１）。
【手続補正７】
【補正対象書類名】明細書
【補正対象項目名】００１０
【補正方法】変更
【補正の内容】
【００１０】
（第３発明の作用）
前記構成を備えた第３発明の画像形成装置では、画像形成装置本体（Ｕ２）は、トナー像形成装置（Ｕｋ，Ｕｙ，Ｕｍ，Ｕｃ）を収容するトナー像形成装置収容空間と前記転写ロール（Ｔ１ｋ，Ｔ１ｙ，Ｔ１ｍ，Ｔ１ｃ）を収容する転写ロール収容空間とを有し、前記トナー像形成装置収容空間には前記トナー像形成装置（Ｕｋ，Ｕｙ，Ｕｍ，Ｕｃ）が着脱可能に収容され、前記転写ロール収容空間には前記転写ロール（Ｔ１ｋ，Ｔ１ｙ，Ｔ１ｍ，Ｔ１ｃ）が着脱可能に収容される。
トナー像形成装置（Ｕｋ，Ｕｙ，Ｕｍ，Ｕｃ）の感光体（Ｐｋ，Ｐｙ，Ｐｍ，Ｐｃ）は感光体支持軸（１４）回りに回転する。帯電器（ＣＣｋ，ＣＣｙ，ＣＣｍ，ＣＣｃ）は、回転する感光体表面を帯電させる。潜像形成装置（ＲＯＳｋ，ＲＯＳｙ，ＲＯＳｍ，ＲＯＳｃ）は、前記帯電された感光体表面に静電潜像を形成する。現像器（Ｇｋ，Ｇｙ，Ｇｍ，Ｇｃ）は、前記静電潜像をトナー像に現像する。
前記転写ロール（Ｔ１ｋ，Ｔ１ｙ，Ｔ１ｍ，Ｔ１ｃ）の軸は、所定の移動範囲で移動可能に支持され、且つ弾性部材（８８）により常時所定の位置決めされる位置の方向に付勢される。
前側位置決めプレート（６３，１１）は、前側感光体軸位置決め孔（６３ａ，１１ａ）と、前側軸ガイド溝（６３ｂ，１１ｂ）とを有しており、前側感光体軸位置決め孔（６３ａ，１１ａ）は前記感光体支持軸（１４）の前端部を位置決めし且つ回転可能に支持し、前側軸ガイド溝（６３ｂ，１１ｂ）は、前記転写ロール（Ｔ１ｋ，Ｔ１ｙ，Ｔ１ｍ，Ｔ１ｃ）が前記動作位置に移動した時に前記転写ロール軸（Ｔ１ａ）の前端部を前記所定の位置決めされる位置にガイドする。したがって、前記転写ロール（Ｔ１ｋ，Ｔ１ｙ，Ｔ１ｍ，Ｔ１ｃ）が前記動作位置に移動した時に、転写ロール軸（Ｔ１ａ）の前端部は前記前側軸ガイド溝（６３ｂ，１１ｂ）によりガイドされて、前記感光体支持軸（１４）に対して所定の位置に位置決めされる。位置決めされた前記転写ロール（Ｔ１ｋ，Ｔ１ｙ，Ｔ１ｍ，Ｔ１ｃ）は、前記転写領域において前記感光体表面のトナー像をそれぞれ転写材に転写する。
したがって、前側位置決めプレート（６３，１１）に形成された前側感光体軸位置決め孔（６３ａ，１１ａ）と前側軸ガイド溝（６３ｂ，１１ｂ）とにより、感光体支持軸（１４）と転写ロール軸（Ｔ１ａ）の前端部が位置決めされるので、それら相互の位置を簡単な構成で正確且つ容易に位置決めすることができる。
【手続補正８】
【補正対象書類名】明細書
【補正対象項目名】００１１
【補正方法】変更
【補正の内容】
【００１１】
（第４発明）
第４発明の画像形成装置は、次の構成要件（Ｂ01）〜（Ｂ03），（Ｂ05）を備えている。
（Ｂ01）感光体支持軸（１４）回りに回転移動する表面が帯電領域、潜像形成位置、現像領域、転写領域、クリーニング領域を順次通過する感光体（Ｐｋ，Ｐｙ，Ｐｍ，Ｐｃ）、前記帯電領域において前記感光体表面を一様に帯電させる帯電器（ＣＣｋ，ＣＣｙ，ＣＣｍ，ＣＣｃ）、前記潜像形成位置において前記帯電された感光体表面に静電潜像を形成する潜像形成装置（ＲＯＳｋ，ＲＯＳｙ，ＲＯＳｍ，ＲＯＳｃ）、前記現像領域において前記静電潜像をトナー像に現像する現像器（Ｇｋ，Ｇｙ，Ｇｍ，Ｇｃ）、前記転写領域通過時に前記トナー像が転写材に転写された感光体表面の残留トナーを前記クリーニング領域において回収するクリーナ（ＣＬｋ）、を備えたトナー像形成装置（Ｕｋ，Ｕｙ，Ｕｍ，Ｕｃ）、
（Ｂ02）前記トナー像形成装置（Ｕｋ，Ｕｙ，Ｕｍ，Ｕｃ）の感光体表面のトナー像を、前記転写領域において転写材に転写する転写ロール（Ｔ１ｋ，Ｔ１ｙ，Ｔ１ｍ，Ｔ１ｃ）であって、転写ロール（Ｔ１ｋ，Ｔ１ｙ，Ｔ１ｍ，Ｔ１ｃ）の軸が弾性部材（８８）により常時所定の位置決めされる位置の方向に付勢され且つ所定の移動範囲で移動可能に支持されるとともに、画像形成動作が行われる動作位置とメンテナンスが行われるメンテナンス位置との間で移動可能に支持された前記転写ロール（Ｔ１ｋ，Ｔ１ｙ，Ｔ１ｍ，Ｔ１ｃ）、
（Ｂ03）前記トナー像形成装置（Ｕｋ，Ｕｙ，Ｕｍ，Ｕｃ）を収容するトナー像形成装置収容空間と前記転写ロール（Ｔ１ｋ，Ｔ１ｙ，Ｔ１ｍ，Ｔ１ｃ）を収容する転写ロール収容空間とを有し、前記トナー像形成装置収容空間には前記トナー像形成装置（Ｕｋ，Ｕｙ，Ｕｍ，Ｕｃ）が着脱可能に収容され、前記転写ロール収容空間には前記転写ロール（Ｔ１ｋ，Ｔ１ｙ，Ｔ１ｍ，Ｔ１ｃ）が着脱可能に収容された画像形成装置本体（Ｕ２）、
（Ｂ05）前記感光体支持軸（１４）の後端部を位置決めし且つ回転可能に支持する後側感光体軸位置決め孔（８０ａ，１２ａ）と、前記転写ロール（Ｔ１ｋ，Ｔ１ｙ，Ｔ１ｍ，Ｔ１ｃ）が上昇位置に移動した時に前記転写ロール軸（Ｔ１ａ）を前記所定の位置決めされる位置にガイドする後側軸ガイド溝（８０ｂ，１２ｂ）とを有する後側位置決めプレート（８０，１２）。
【手続補正９】
【補正対象書類名】明細書
【補正対象項目名】００１２
【補正方法】変更
【補正の内容】
【００１２】
（第４発明の作用）
前記構成を備えた第４発明の画像形成装置の作用の説明において前記第３発明の作用と同一の作用の説明は省略する。
第４発明の画像形成装置の後側位置決めプレート（８０，１２）は、後側感光体軸位置決め孔（８０ａ，１２ａ）と後側軸ガイド溝（８０ｂ，１２ｂ）とを有しており、後側感光体軸位置決め孔（８０ａ，１２ａ）は前記感光体支持軸（１４）の後端部を位置決めし且つ回転可能に支持し、後側軸ガイド溝（８０ｂ，１２ｂ）は、前記転写ロール（Ｔ１ｋ，Ｔ１ｙ，Ｔ１ｍ，Ｔ１ｃ）が動作位置に移動した時に前記転写ロール軸（Ｔ１ａ）の後端部を所定の位置決めされる位置にガイドする。したがって、前記転写ロール（Ｔ１ｋ，Ｔ１ｙ，Ｔ１ｍ，Ｔ１ｃ）が前記動作位置に移動した時に、転写ロール軸（Ｔ１ａ）の後端部は前記後側軸ガイド溝（８０ｂ，１２ｂ）によりガイドされて、前記感光体支持軸（１４）に対して所定の位置に位置決めされる。位置決めされた前記転写ロール（Ｔ１ｋ，Ｔ１ｙ，Ｔ１ｍ，Ｔ１ｃ）は、前記転写領域において前記感光体表面のトナー像をそれぞれ転写材に転写する。
したがって、後側位置決めプレート（８０，１２）に形成された後側感光体軸位置決め孔（８０ａ，１２ａ）と後側軸ガイド溝（８０ｂ，１２ｂ）とにより、感光体支持軸（１４）と転写ロール軸（Ｔ１ａ）の後端部が位置決めされるので、それら相互の位置を簡単な構成で正確且つ容易に位置決めすることができる。
【手続補正１０】
【補正対象書類名】明細書
【補正対象項目名】００１３
【補正方法】変更
【補正の内容】
【００１３】
【発明の実施の形態】
（実施の形態１）
本発明の実施の形態１の画像形成装置は前記第１発明において、次の構成要件（Ａ06）を備えたことを特徴とする。
（Ａ06）複数の前記感光体支持軸（１４）の前端部を位置決めし且つ回転可能に支持する複数の前側感光体軸位置決め孔（６３ａ，１１ａ）とその下方に形成され且つ前記ベルトモジュール（ＢＭ）が上昇位置に移動した時に前記複数の転写ロール軸（Ｔ１ａ）を所定の位置決めされる位置にガイドする複数の前側軸ガイド溝（６３ｂ，１１ｂ）とを有する前側位置決めプレート（６３，１１）。
【手続補正１１】
【補正対象書類名】明細書
【補正対象項目名】００１５
【補正方法】変更
【補正の内容】
【００１５】
（実施の形態２）
本発明の実施の形態２の画像形成装置は、前記第１発明または実施の形態１において、次の構成要件（Ａ07）を備えたことを特徴とする。
（Ａ07）前記感光体支持軸（１４）の後端部に装着された後側ベアリング（７７）が着脱可能な後側感光体軸位置決め孔（８０ａ，１２ａ）とその下方に形成され且つ前記ベルトモジュール（ＢＭ）が前記動作位置に移動した時に前記転写ロール軸（Ｔ１ａ）を所定の位置決めされる位置にガイドする後側軸ガイド溝（８０ｂ，１２ｂ）とを有する後側位置決めプレート（８０，１２）。
【手続補正１２】
【補正対象書類名】明細書
【補正対象項目名】００１７
【補正方法】変更
【補正の内容】
【００１７】
（実施の形態３）
本発明の実施の形態３の画像形成装置は、実施の形態２または第２発明において次の構成要件（Ａ08）を備えたことを特徴とする
（Ａ08）複数の前記感光体支持軸（１４）の後端部を位置決めし且つ回転可能に支持する複数の後側感光体軸位置決め孔（８０ａ，１２ａ）とその下方に形成され且つ前記ベルトモジュール（ＢＭ）が前記動作位置に移動した時に前記複数の転写ロール軸（Ｔ１ａ）を所定の位置決めされる位置にガイドする複数の後側軸ガイド溝（８０ｂ，１２ｂ）とを有する後側位置決めプレート（８０，１２）。